(57)【要約】【課題】選手のコンディションを把握するに必要なデータを選手毎に継続的に一貫して管理することにより、選手が他のチームに移籍し、または代表チームに参加した場合であっても、その時点で即座に選手のコンディションを把握できるようにする。【解決手段】スポーツ選手が自己の専門種目を競技するときのコンディションを把握するのに必要なデータを選手毎に記載することができる記録用紙を綴った運動選手用健康管理台帳であって、前記スポーツ選手が個々に保管および携帯できるようにした。【選択図】図４
0003120157.tif 000002
【実用新案登録請求の範囲】
【請求項１】
スポーツ選手が自己の専門種目を競技するときのコンディションを把握するのに必要なデータを選手毎に記載することができる記録用紙を綴った運動選手用健康管理台帳であって、前記スポーツ選手が個々に保管および携帯できることを特徴とする運動選手用健康管理台帳。
【請求項２】
請求項１に記載の運動選手用健康管理台帳であって、前記コンディションを把握するのに必要なデータは、生年月日・家族等の個人のプロフィール、スポーツ歴、海外遠征歴、過去の外傷・障害・疾病歴、メディカルチェック結果、体力測定結果、現病歴であることを特徴とする運動選手用健康管理台帳。
【請求項３】
請求項１または２に記載の運動選手用健康管理台帳であって、前記自己の専門種目がサッカー競技であることを特徴とする運動選手用健康管理台帳。
【請求項４】
請求項１乃至３のいずれかに記載の運動選手用健康管理台帳であって、前記記録用紙がカバーケースに収納されていることを特徴とする運動選手用健康管理台帳。
【考案の詳細な説明】
【技術分野】
【０００１】
本考案は、スポーツ選手に対する一貫した医学管理を目的に各スポーツ選手の身体的評価、外傷・障害・疾病暦等を選手毎に記載することができる記録用紙を綴った運動選手用健康管理台帳に関する。
【背景技術】
【０００２】
従来、例えばサッカー競技をするスポーツ選手のコンディションの把握については、各選手が所属するチームの担当医が所属各選手について一定期間ごとにメディカルチェック等を行ない、そのチェックデータ等を選手毎に記録しチームで保管することにより実施していた。
【０００３】
しかし、従来の方法によると、選手が同一チームに所属しているときは一定期間ごと行われるメディカルチェック等によるデータが蓄積されるので、過去からの継続的なチェックデータ等の記録に基き現在の選手のコンディションを把握することが可能となるが、他チームに移籍したときには、その時点からチェックデータ等の蓄積が開始され前の所属していたチームのチェックデータ等の記録を活用することができないため、継続的な記録に基く選手のコンディションを把握するのが困難となり、各選手に対して、一貫した医学管理を行うのに支障が生じていた。
【０００４】
更に、近年頻繁に行われる国際試合のために代表選手として選出され海外遠征に参加すると、代表チームの帯同医が代表選手のコンディションを把握することになるが、帯同医は代表選手が所属しているチームの過去からの継続的なチェックデータ等の記録を活用することが出来ないため、現在の選手のコンディションを的確に把握することができないとの問題点が生じていた。また、代表選手が所属チームに復帰した場合においても、チームの担当医は代表期間中における選手のチェックデータ等の記録を活用することができないために、復帰時点での選手のコンディションを把握できないばかりか、代表チームに所属していた期間は、チェックデータ等の記録が空白になるとの問題点もあった。
【考案の開示】
【考案が解決しようとする課題】
【０００５】
本考案は、かかる上述の問題点を解決するためになされたものであって、その目的とするところは、選手のコンディションを把握するに必要なデータを選手毎に継続的に一貫して管理することにより、選手が他のチームに移籍し、または代表チームに参加した場合であっても、その時点で即座に選手のコンディションを把握できるようにすることである。
【課題を解決するための手段】
【０００６】
上記目的を達成するため、本考案の請求項１に係る運動選手用健康管理台帳は、スポーツ選手が自己の専門種目を競技するときのコンディションを把握するのに必要なデータを選手毎に記載することができる記録用紙を綴った運動選手用健康管理台帳であって、前記スポーツ選手が個々に保管および携帯できることを特徴とするものである。
【０００７】
また、本考案の請求項２にかかる運動選手用健康管理台帳は、上記した請求項１の運動選手用健康管理台帳であって、前記コンディションを把握するのに必要なデータは、生年月日・家族等の個人のプロフィール、スポーツ歴、海外遠征歴、過去の外傷・障害・疾病歴、メディカルチェック結果、体力測定結果、現病歴であることを特徴とするものである。
【０００８】
また、本考案の請求項３にかかる運動選手用健康管理台帳は、上記した請求項１または２に記載の運動選手用健康管理台帳であって、前記自己の専門種目がサッカー競技であることを特徴とするものである。
【０００９】
また、本考案の請求項４にかかる運動選手用健康管理台帳は、上記した請求項１乃至３のいずれかに記載の運動選手用健康管理台帳であって、前記記録用紙がカバーケースに収納されていることを特徴とするものである。
【考案の効果】
【００１０】
本考案は、以下の効果を奏する。
【００１１】
すなわち、上記構成を備えた請求項１に係る考案は、選手のコンディションを把握するのに必要なデータを選手毎に記載することができる記録用紙を綴った運動選手用健康管理台帳を各選手が個々に保管および携帯することができるので、他チームへの移籍時または代表チームへの参加時に、他チームの担当医または代表チームの帯同医が選手の持参した運動選手用健康管理台帳の内容により即座に選手のコンディションを把握することができる。また、他チームの担当医または代表チームの帯同医は、自己の管理下に所属している期間は、各選手のコンディションを把握するに必要なデータを運動選手用健康管理台帳に記録するので、これにより選手の医学管理を継続的に一貫して行うことができる。更に、選手自身が運動選手用健康管理台帳を保管することで自己管理に対する意識を高めることができる。
【００１２】
また、請求項２に係る考案は、選手のコンディションを把握するのに必要なデータは、生年月日・家族等の個人のプロフィール、スポーツ歴、海外遠征歴、過去の外傷・障害・疾病歴、メディカルチェック結果、体力測定結果、現病歴であるので、広範なデータをもとに選手のコンディションを的確に把握することができる。
【００１３】
更に、請求項３に係る考案は、サッカー選手に適用される場合であって、特にサッカー競技は怪我等が発生しやすい競技であり、また海外遠征等も頻繁に行われている現状においては、運動選手用健康管理台帳により現時点での選手のコンディションの把握が即座にでき、また、選手のコンディションを把握するのに必要なデータが継続して記録されるので、サッカー協会に登録した選手に対して一貫した医学管理を実施していくことができる。
【００１４】
また、請求項４に係る考案は、記録用紙がカバーケースに収納されているので、海外遠征等で移動荷物と一緒に収容した場合であっても運動選手用健康管理台帳の破れや汚れを防止することができる。
【考案を実施するための最良の形態】
【００１５】
つぎに本考案の実施形態を図面にしたがって説明する。
【００１６】
本考案の実施形態に係る運動選手用健康管理台帳は、サッカー選手についてのものであって、個人のプロフィール、スポーツ歴、海外遠征歴、過去の外傷・障害・疾病歴、メディカルチェック結果、体力測定結果、現病歴を記載する記録用紙が綴られていて、カバーケースに収納されている。
【００１７】
図１は、運動選手用健康管理台帳を構成する個人のプロフィールについて記載するための項目欄が表示されている記録用紙１を示す図であって、この記録用紙１には、生年月日１１・血液片１２・家族歴１３・体質１４・現住所１５を記載することができる欄が設けられている。現住所１５を記載させることで、選手を継続的にフォローすることが可能となっている。
【００１８】
図２は、運動選手用健康管理台帳を構成するスポーツ歴について記載するための項目欄が表示されている記録用紙２を示す図であって、この記録用紙２には、サッカーを含めこれまでに行った全てのスポーツについて記載するもので、開始年齢２１・種目とポジション２２・所属クラブ２３・一日の練習量２４・レベル２５を記載することができる欄が設けられている。
【００１９】
図３は、運動選手用健康管理台帳を構成する海外遠征歴について記載するための項目欄が表示されている記録用紙３を示す図であって、この記録用紙３には、遠征（大会名）３１・遠征期間３２・監督３３・帯同ドクター３４を記載することができる欄が設けられている。なお、海外遠征歴には、代表チームに参加して海外遠征した場合と、単独チームとして海外遠征したときと両方について記載する。
【００２０】
図４は、運動選手用健康管理台帳を構成する過去の外傷・障害・疾病歴について記載するための項目欄が表示されている記録用紙４を示す図であって、この記録用紙４には、年令または発生日４１・種目４２・診断名４３・治療機関４４・治療内容４５・治療期間４６・具合４７・影響４８・問題解決日および医師サイン４９を記載することができる欄が設けられている。なお、具合４７の欄には、現アクティヴかインアクティブであるかを記載することにより、過去の怪我等の状態を把握することができ、現在フォローする必要があるかが一目で判別できるようになっている。
【００２１】
図５乃至１３は、運動選手用健康管理台帳を構成するメディカルチェックについて記載するための項目欄が表示されている記録用紙を示す図である。このメディカルチェックはＪリーグに所属している選手全員が年１回受診することを義務付けられているもので、図５・６の記録用紙５は整形外科チェック結果を記載するものであり、部位毎にアライメント５１・関節弛緩性５２・関節可動域５３・関節不安定性５４を記載することができる欄が設けられている。
【００２２】
図７・８の記録用紙６は同じくメディカルチェックの中の内科チェック結果を記載するものであり、部位毎に所見６１を記載することができる欄が設けられている。
【００２３】
図９の記録用紙７は同じくメディカルチェックの中の血液・尿検査結果を記載するものであり、検査項目毎に検査結果７１を記載することができる欄が設けられている。
【００２４】
図１０乃至１３の記録用紙８は同じくメディカルチェックの中のＸ線写真所見結果を記載するものであり、各部位について写真撮影結果８１を記載することができる欄が設けられている。
【００２５】
図１４・１５は、運動選手用健康管理台帳を構成する体力測定について記載するための項目欄が表示されている記録用紙９を示す図であって、この記録用紙９には、形態９１・運動要素９２・筋力等速性９３・関節スピード９４・呼吸循環機能９５・最大無酸素パワー９６・４０秒パワー９７・フィールドテスト９８の項目について結果を記載することができる欄が設けられている。
【００２６】
図１６は、運動選手用健康管理台帳を構成する現病歴について記載するための項目欄が表示されている記録用紙１０を示す図である。選手が本実施例にかかる運動選手用健康管理台帳を携帯した後の外傷・障害・疾病を記載するもので、記録用紙１０には、年月日１０１・現症１０２・処置１０３・医師サイン１０４を記載することができる欄が設けられている。
【００２７】
上記記録用紙を綴った運動選手用健康管理台帳は、図１７に示すカバーケース１１０にファイルされ、図１８に示す通り、Ｊリーグ傘下のクラブに選手が所属している場合は、チームが保管してその都度必要事項を記載し、所属選手のコンディションが即座に把握できるようになっている。そして、他チームに移籍の際は、運動選手用健康管理台帳を移籍先チームに移管することで、継続的な管理を可能としている。また、代表選手として招集された際は、召集時に選手自身が運動選手用健康管理台帳を携帯し、代表チームの帯同医に引き渡すことで、召集時のコンディションを帯同医が把握することを可能とし、また遠征期間中は帯同医が必要事項を記載し所属チームに復帰する際に選手に返却するので、継続的な管理が可能となる。
【図面の簡単な説明】
【００２８】
【図１】本考案の一実施形態である運動選手用健康管理台帳を構成する個人のプロフィールを記載する記録用紙の内容を示す図である。
【図２】同スポーツ歴を記載する記録用紙の内容を示す図である。
【図３】同海外遠征歴を記載する記録用紙の内容を示す図である。
【図４】同過去の外傷・障害・疾病歴を記載する記録用紙の内容を示す図である。
【図５】同整形外科チェック結果を記載する記録用紙の内容を示す図である。
【図６】同整形外科チェック結果を記載する記録用紙の内容を示す図である。
【図７】同内科チェック結果を記載する記録用紙の内容を示す図である。
【図８】同内科チェック結果を記載する記録用紙の内容を示す図である。
【図９】同血液・尿検査歴を記載する記録用紙の内容を示す図である。
【図１０】同Ｘ線写真所見結果を記載する記録用紙の内容を示す図である。
【図１１】同Ｘ線写真所見結果を記載する記録用紙の内容を示す図である。
【図１２】同Ｘ線写真所見結果を記載する記録用紙の内容を示す図である。
【図１３】同Ｘ線写真所見結果を記載する記録用紙の内容を示す図である。
【図１４】同体力チェック結果を記載する記録用紙の内容を示す図である。
【図１５】同体力チェック結果を記載する記録用紙の内容を示す図である。
【図１６】同現病歴を記載する記録用紙の内容を示す図である。
【図１７】記録用紙をファイルするカバーケースの斜視図である。
【図１８】本考案の一実施形態である運動選手用健康管理台帳の使用方法を示す図である。
【符号の説明】
【００２９】
１〜１０  記録用紙
１１０  カバーケース
【図１】
0003120157.tif 000003
【図２】
0003120157.tif 000004
【図３】
0003120157.tif 000005
【図４】
0003120157.tif 000006
【図５】
0003120157.tif 000007
【図６】
0003120157.tif 000008
【図７】
0003120157.tif 000009
【図８】
0003120157.tif 000010
【図９】
0003120157.tif 000011
【図１０】
0003120157.tif 000012
【図１１】
0003120157.tif 000013
【図１２】
0003120157.tif 000014
【図１３】
0003120157.tif 000015
【図１４】
0003120157.tif 000016
【図１５】
0003120157.tif 000017
【図１６】
0003120157.tif 000018
【図１７】
0003120157.tif 000019
【図１８】
0003120157.tif 000020